(57)【特許請求の範囲】
【請求項１】
通信ネットワークにアクセスするユーザ装置において使用するための方法であって、
該ユーザ装置が該通信ネットワークと接続モードであるときに、該ユーザ装置は、拡張間欠受信（ＤＲＸ：ｄｉｓｃｏｎｔｉｎｕｏｕｓ  ｒｅｃｅｐｔｉｏｎ）を使用しており、
前記拡張ＤＲＸは、拡張ＤＲＸサイクルおよびオフセットを含み、
該オフセットは、特定のＤＲＸサイクルの値に基づいている、方法であり、
該方法は、
前記通信ネットワークから、シグナリングを受信するステップであって、該シグナリングは、拡張ＤＲＸサイクル標示およびオフセット値を含む、ステップと、
前記拡張ＤＲＸサイクル標示から、拡張ＤＲＸサイクルを計算するステップと、
前記特定のＤＲＸサイクルの前記値を使用して、前記オフセット値からオフセットを計算するステップと、
計算された前記拡張ＤＲＸサイクルおよび計算された前記オフセットを用いて、前記ユーザ装置が前記接続モードであるときに、間欠受信を実行するステップと、を含む、方法。
【請求項２】
前記通信ネットワークからシグナリングを受信するステップであって、該シグナリングは、前記特定のＤＲＸサイクルの前記値を含む、ステップを含む、請求項１に記載の方法。
【請求項３】
通信ネットワークの装置に用いられる方法であって、該方法は、
拡張ＤＲＸサイクル標示およびオフセット値を、前記通信ネットワークにアクセスするユーザ装置にシグナリングするステップを含み、
前記シグナリングは、該ユーザ装置が間欠受信を実行するためのものであり、
該ユーザ装置が該通信ネットワークと接続モードであるときに、該ユーザ装置は、拡張間欠受信（ＤＲＸ：ｄｉｓｃｏｎｔｉｎｕｏｕｓ  ｒｅｃｅｐｔｉｏｎ）を使用しており、
前記拡張ＤＲＸは、前記拡張ＤＲＸサイクル標示から計算された拡張ＤＲＸサイクル、および、特定のＤＲＸサイクルの値に基づいている、前記オフセット値から計算されたオフセットを含む、方法。
【請求項４】
前記特定のＤＲＸサイクルの前記値を前記ユーザ装置へシグナリングするステップを含む、請求項３に記載の方法。
【請求項５】
前記特定のＤＲＸサイクルの前記値は、長いＤＲＸサイクルの最大長である、請求項１に記載の方法。
【請求項６】
前記拡張ＤＲＸサイクル標示は、拡張ＤＲＸサイクルを示し、前記特定のＤＲＸサイクルの前記値の第１乗算値である、請求項１ないし５のいずれか１項に記載の方法。
【請求項７】
前記オフセット値は、ＤＲＸ開始オフセットを示し、前記特定のＤＲＸサイクルの前記値の第２乗算値である、請求項１ないし６のいずれか１項に記載の方法。
【請求項８】
前記オフセット値は、拡張ＤＲＸサイクル開始オフセットを示し、前記特定のＤＲＸサイクルの前記値で除算した前記拡張ＤＲＸサイクルの長さの第２乗算値である、請求項１ないし６のいずれか１項に記載の方法。
【請求項９】
処理デバイスの上で動作するとき、請求項１ないし８のいずれか１項の方法を実行するためのソフトウェア・コード部を備える、該処理デバイスのためのコンピュータ・プログラム。
【請求項１０】
前記プログラムは、前記処理デバイスの内部メモリに、直接ロード可能である、請求項９に記載のコンピュータ・プログラム。
【請求項１１】
通信ネットワークにアクセスする装置であって、該装置が該通信ネットワークと接続モードであるときに、該装置は、拡張間欠受信（ＤＲＸ：ｄｉｓｃｏｎｔｉｎｕｏｕｓ  ｒｅｃｅｐｔｉｏｎ）を使用しており、
前記拡張ＤＲＸは、拡張ＤＲＸサイクルおよびオフセットを含み、
該オフセットは、特定のＤＲＸサイクルの値に基づいている、装置であり、
該装置は、少なくとも１つのプロセッサと、コンピュータ・プログラム・コードを含む少なくとも１つのメモリとを備え、
前記少なくとも１つのメモリと、前記コンピュータ・プログラム・コードとは、前記少なくとも１つのプロセッサを用いて、前記装置に、
前記通信ネットワークからシグナリングを受信するステップであって、該シグナリングは、拡張ＤＲＸサイクル標示およびオフセット値を含む、ステップと、
前記拡張ＤＲＸサイクル標示から、拡張ＤＲＸサイクルを計算するステップと、
前記特定のＤＲＸサイクルの前記値を使用して、前記オフセット値からオフセットを計算するステップと、
計算された前記拡張ＤＲＸサイクルおよび計算された前記オフセットを用いて、ユーザ装置が前記接続モードであるときに、間欠受信を実行するステップと、を実行させるように構成される、装置。
【請求項１２】
前記少なくとも１つのメモリおよび前記コンピュータ・プログラム・コードは、前記少なくとも１つのプロセッサで、前記装置に、前記通信ネットワークからシグナリングを受信するステップであって、該シグナリングは、前記特定のＤＲＸサイクルの前記値を含む、ステップを実行させるように構成される、請求項１１に記載の装置。
【請求項１３】
少なくとも１つのプロセッサと、コンピュータ・プログラム・コードを含む少なくとも１つのメモリとを備える、通信ネットワークの装置であって、
前記少なくとも１つのメモリと、前記コンピュータ・プログラム・コードとは、前記少なくとも１つのプロセッサを用いて、該装置に、少なくとも、
拡張ＤＲＸサイクル標示およびオフセット値を、前記通信ネットワークにアクセスするユーザ装置にシグナリングするステップを実行させるように構成され、
前記シグナリングは、該ユーザ装置が間欠受信を実行するためのものであり、
該ユーザ装置が該通信ネットワークと接続モードであるときに、該ユーザ装置は、拡張間欠受信（ＤＲＸ：ｄｉｓｃｏｎｔｉｎｕｏｕｓ  ｒｅｃｅｐｔｉｏｎ）を使用しており、
前記拡張ＤＲＸは、前記拡張ＤＲＸサイクル標示から計算された拡張ＤＲＸサイクル、および、特定のＤＲＸサイクルの値に基づいている、前記オフセット値から計算されたオフセットを含む、通信ネットワークの装置。
【請求項１４】
前記少なくとも１つのメモリおよび前記コンピュータ・プログラム・コードは、前記少なくとも１つのプロセッサを用いて、前記装置に、前記特定のＤＲＸサイクルの前記値を前記ユーザ装置へシグナリングするステップを実行させるように構成される、請求項１３に記載の装置。
【請求項１５】
前記特定のＤＲＸサイクルの前記値は、長いＤＲＸサイクルの最大長である、請求項１１に記載の装置。
【請求項１６】
前記拡張ＤＲＸサイクル標示は、拡張ＤＲＸサイクルを示し、前記特定のＤＲＸサイクルの前記値の第１乗算値である、請求項１１ないし１５のいずれか１項に記載の装置。
【請求項１７】
前記オフセット値は、ＤＲＸ開始オフセットを示し、前記特定のＤＲＸサイクルの前記値の第２乗算値である、請求項１１ないし１６のいずれか１項に記載の装置。
【請求項１８】
前記オフセット値は、拡張ＤＲＸサイクル開始オフセットを示し、前記特定のＤＲＸサイクルの前記値で除算した前記拡張ＤＲＸサイクルの長さの第２乗算値である、請求項１１ないし１６のいずれか１項に記載の装置。
【発明の詳細な説明】
【技術分野】
【０００１】
本願発明は、接続モード・ユーザ装置（ＵＥ）に対する拡張間欠受信（ＤＲＸ）シグナリングに関する。
【背景技術】
【０００２】
本願明細書において使用される略語に対して、次の意味を、適用する。
Ｃ−ＲＮＴＩ：セル無線ネットワーク一時的識別（Ｃｅｌｌ  Ｒａｄｉｏ  Ｎｅｔｗｏｒｋ  Ｔｅｍｐｏｒａｒｙ  Ｉｄｅｎｔｉｆｉｅｒ）
ＤＲＸ：間欠受信（Ｄｉｓｃｏｎｔｉｎｕｏｕｓ  Ｒｅｃｅｐｔｉｏｎ）
ＬＴＥ：ロング・ターム・エボリューション（Ｌｏｎｇ  Ｔｅｒｍ  Ｅｖｏｌｕｔｉｏｎ）
ＰＤＣＣＨ：物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）
ＲＡＮ：ラジオ・アクセス・ネットワーク（Ｒａｄｉｏ  Ａｃｃｅｓｓ  Ｎｅｔｗｏｒｋ）
ＲＲＣ：ラジオ・リソース制御（Ｒａｄｉｏ  Ｒｅｓｏｕｒｃｅ  Ｃｏｎｔｒｏｌ）
ＳＩＢ：システム情報ブロック（Ｓｙｓｔｅｍ  Ｉｎｆｏｒｍａｔｉｏｎ  Ｂｌｏｃｋ）
ＵＥ：ユーザ装置（Ｕｓｅｒ  Ｅｑｕｉｐｍｅｎｔ）
【０００３】
ＵＥの省エネルギーの目的のために、ＤＲＸが、ＬＴＥにおいて定義された。ＵＥが、ＤＲＸで、より高い層により構成されるならば、ＵＥは、図１に示されるように、アクティブ・タイムでないときには、ＰＤＣＣＨをモニターすることを要求されない。図１は、ＵＥが、「受信期間（Ｏｎ  Ｄｕｒａｔｉｏｎ」（アクティブ・タイム）の間、ＰＤＣＣＨをモニターし、「非受信期間（Ｏｐｐｏｒｔｕｎｉｔｙ  ｆｏｒ  ＤＲＸ）」の間、ＰＤＣＣＨをモニターしない、ＤＲＸサイクルを図示する。
【０００４】
ＤＲＸは、ＲＲＣによって以下のパラメータを用いて構成される。
【表１】
0006538868.tif 000002
【０００５】
上記のパラメータ「ｌｏｎｇＤＲＸ−ＣｙｃｌｅＳｔａｒｔＯｆｆｓｅｔ」は、ｌｏｎｇＤＲＸ−ＣｙｃｌｅおよびｄｒｘＳｔａｒｔＯｆｆｓｅｔを備える。ｌｏｎｇＤＲＸ−サイクルの値は、サブフレームのイン・ナンバーである。値ｓｆ１０は、１０サブフレームに対応し、ｓｆ２０は、２０サブフレームに対応する、等々である。ｓｈｏｒｔＤＲＸ−サイクルが構成されるならば、ｌｏｎｇＤＲＸ−サイクルは、ｓｈｏｒｔＤＲＸ−サイクル値の倍数でなければならない。ｄｒｘＳｔａｒｔＯｆｆｓｅｔ値の値は、サブフレームのイン・ナンバーである。
【０００６】
上記のパラメータ「ｏｎＤｕｒａｔｉｏｎＴｉｍｅｒ」は、ＤＲＸのためのタイマーである。その値は、ＰＤＣＣＨサブフレームのイン・ナンバーである。値ｐｓｆ１は、１ＰＤＣＣＨサブフレームに対応し、ｐｓｆ２は、２ＰＤＣＣＨサブフレームに対応する、等々である。
【０００７】
上述のパラメータ「ｄｒｘ−ＩｎａｃｔｉｖｉｔｙＴｉｍｅｒ」は、ＤＲＸのためのタイマーである。その値は、ＰＤＣＣＨサブフレーム数のイン・ナンバーである。値ｐｓｆ１は、１ＰＤＣＣＨサブフレームに対応し、ｐｓｆ２は、２ＰＤＣＣＨサブフレームに対応する、等々である。
【０００８】
上述のパラメータ「ｄｒｘ−ＲｅｔｒａｎｓｍｉｓｓｉｏｎＴｉｍｅｒ」は、ＤＲＸのためのタイマーである。その値は、ＰＤＣＣＨサブフレーム数のイン・ナンバーである。値ｐｓｆ１は、１ＰＤＣＣＨサブフレームに対応し、ｐｓｆ２は、２ＰＤＣＣＨサブフレームに対応する、等々である。
【０００９】
上述のパラメータ「ｓｈｏｒｔＤＲＸ−サイクル」の値は、サブフレームのイン・ナンバーである。値ｓｆ２は、２サブフレームに対応し、ｓｆ５は、５サブフレームに対応する、等々である。
【００１０】
上述のパラメータ「ｄｒｘＳｈｏｒｔＣｙｃｌｅＴｉｍｅｒ」は、ＤＲＸのためのタイマーである。その値は、ｓｈｏｒｔＤＲＸ−Ｃｙｃｌｅの倍数である。１の値は、ｓｈｏｒｔＤＲＸ−Ｃｙｃｌｅに対応し、２の値は、２＊ｓｈｏｒｔＤＲＸ−Ｃｙｃｌｅに対応する、等々である。
【００１１】
省電力の目的のため、ＲＡＮは、接続モードＤＲＸを、２５６０ｍｓの現在の最大をはるかに超えて、例えば、１時間に延長することを考える。
【００１２】
たとえば、１時間（３６００秒または３，６００，０００ミリ秒）のＤＲＸサイクルをサポートために、現在のシグナリングの直接の延長を、
【表２】
0006538868.tif 000003
の長いＤＲＸ−ＣｙｃｌｅＳｔａｒｔＯｆｆｓｅｔパラメータとして導入することになる。明らかに、非常に大きなＤＲＸサイクル（または延長したＤＲＸ）を導入するとき、１ｍｓの粒度は、ＵＥを広げるためには必要ではない。１サイクルの範囲内のｍｓ数は、サポートすることができるＵＥの数よりもはるかに多い。たとえば、６５，５３６のＣ−ＲＮＴＩだけが、割当可能である（１６ビット長）。これは、上述の１時間のＤＲＸサイクルの例において、３，６００，０００の可能なオフセットと比較すべきものである。要求されるものより、１００倍以上のオフセットである。
【発明の概要】
【００１３】
本願発明の少なくとも１つの実施形態にしたがって、拡張ＤＲＸが、最小のシグナリング・オーバーヘッドで、柔軟性を危うくすることなく導入される。
【００１４】
本願発明にしたがって、方法、ユーザ装置、ネットワーク装置、および、コンピュータ・プログラム・プロダクトが、添付の請求項において述べられるように、提供される。
【００１５】
以下において、本願発明は、添付の図面を参照して、その実施形態として記述される。
【図面の簡単な説明】
【００１６】
【図１】図１は、ＤＲＸサイクルを図示する図を示す。
【図２】図２は、本願発明の実施形態の例が、インプリメント可能である電子デバイスの構成を図示する概略ブロック図を示す。
【図３】図３は、本願発明の実施形態にしたがって、プロセスを図示するフローチャートを示す。
【発明を実施するための形態】
【００１７】
種々のインプリメンテーションの詳細を探検する前に、予備的事項として、この発明の例示的な実施形態の実施において使用するのに適切なコントロール・ユニット１０およびコントロール・ユニット２０の簡略ブロック図を図示するために図２を参照する。
【００１８】
コントロール・ユニット１０は、ユーザ装置の部分であることができる、および／または、ユーザ装置によって使用されることができる。コントロール・ユニット１０は、処理リソース（例えば処理回路）１１、プログラムを格納できるメモリ・リソース（例えばメモリ回路）１２、および、インタフェース（例えばインタフェース回路構成）１３を備える。これらは、リンク１４を介して接続している。インタフェース１３は、シグナリング・リンク１５を含む１つ以上の無線リンクをわたる、コントロール・ユニット２０との双方向無線通信のために１つ以上のアンテナ（図示せず）に結合された適切なラジオ周波数（ＲＦ）トランシーバ（図示せず）を備えることができる。
【００１９】
コントロール・ユニット２０は、例えば、ｅＮＢなど通信ネットワークの装置の部分であることができる、および／または、装置によって使用されることができる。コントロール・ユニット２０は、処理リソース（例えば処理回路）２１、プログラムを格納できるメモリ・リソース（例えばメモリ回路）２２、および、インタフェース（例えばインタフェース回路構成）２３を備える。これらは、リンク２４を介して接続している。インタフェース２３は、シグナリング・リンク１５を含む１つ以上の無線リンクをわたる、コントロール・ユニット１０との双方向無線通信のために１つ以上のアンテナ（図示せず）に結合された適切なラジオ周波数（ＲＦ）トランシーバ（図示せず）を備えることができる。
【００２０】
「接続した（ｃｏｎｎｅｃｔｅｄ）」、「結合した（ｃｏｕｐｌｅｄ）」という用語、あるいは、それらのすべての変形は、２つ以上の要素の間での直接または間接のどちらでも、すべての接続または結合を意味し、一緒に「接続した」あるいは「結合した」２つの要素の間の１つ以上の中間の要素の存在を含むことができる。要素の間での結合または接続は、物理的、論理的、またはその組合せでありえる。ここに用いるように、２つの要素は、ラジオ周波数領域における波長を有する電磁エネルギー、マイクロ波領域、および、光学（可視、非可視）領域など、電磁エネルギーを用いることと並んで、１つ以上のワイヤー、ケーブルおよび印刷電気的接続の使用によって、一緒に「接続される」、または、「結合される」と考えることができる。ただし、これらは、非限定的な例としてあげたものである。
【００２１】
メモリ・リソース１１に格納されたプログラムの少なくとも１つは、関連した処理リソース１１によって実行されるとき、この発明の例示的な実施形態にしたがって、電子デバイスが動作するのを可能にするプログラム命令を含むと仮定される。処理リソース１１における固有のものは、スケジューリングが許容し、および、許容されたリソース／サブフレームを時間依存であるとき、要求される適切な時間間隔およびスロットにおいて送信および受信のために種々の装置の間の同期を可能にするクロックである。トランシーバは、送信器、受信器の両方を含み、各々において固有なものは、モデムとして一般に知られるモジュレータ／デモジュレータである。
【００２２】
一般に、この発明の例示的実施形態は、メモリ・リソース１２に格納されたコンピュータ・ソフトウェアによってインプリメントすることができ、コントロール・ユニット１０の処理リソース１１によって、または、ハードウェアによって、または、いずれかの、あるいはすべての示されたデバイスのソフトウェアやファームウェア、およびハードウェアの組合せによって、実行可能である。
【００２３】
一般に、ＵＥの種々の実施形態は、モバイル局、携帯電話、無線通信能力を有するパーソナル携帯情報機器（ＰＤＡ）無線通信能力を有するポータブルコンピュータ無線通信能力を有するデジタル・カメラなどの画像キャプチャー・デバイス、無線通信能力を有するゲーム・デバイス、音楽ストレージ、および、無線通信能力を有する再生機器、そのような機能の組合せを組み込む携帯型ユニットまたは端末と並んで、無線インターネット・アクセスおよびブラウジングを可能にするインターネット機器を含むことができる。しかし、これらに限定されるものではない。
【００２４】
メモリ・リソース１２、２２は、ローカルな技術的環境に適切な任意のタイプのものであり得、半導体ベース・メモリ素子、磁気記憶デバイスおよびシステム、光学的記憶装置およびシステム、固定メモリおよびリムーバブル・メモリなどいかなる適切なデータ格納技術を使用してでもインプリメントすることができる。処理リソース１１、２１は、ローカルな技術的環境に適切な任意のタイプのものであり得、非限定的な例としてあげると、汎用コンピュータ、専用コンピュータ、マイクロプロセッサー、デジタル信号プロセッサ（ＤＳＰ）、および、マルチ・コア・プロセッサ・アーキテクチャに基づくプロセッサのうちの１つ以上を含むことができる。
【００２５】
次に、本願発明の少なくとも１つの実施形態にしたがって、プロセス３０を図示する図３を参照する。
【００２６】
プロセス３０は、通信ネットワークにアクセスしているＵＥにおいて、使用するためのものである。このＵＥは、通信ネットワークとの接続モードにあるとき、ＤＲＸを使用するように構成される。拡張ＤＲＸは、拡張ＤＲＸサイクルおよびオフセットを含み、そのオフセットは、特定のＤＲＸサイクルの値（例えば、２５６０ｍｓ）に基づいている。
【００２７】
ステップＳ３１において、通信ネットワークからシグナリングが、受信される。このシグナリングは、拡張ＤＲＸサイクル標示およびオフセット値を含む。
【００２８】
ステップＳ３２において、拡張ＤＲＸサイクルが、拡張ＤＲＸサイクル標示から計算され、そして、オフセットが、特定のＤＲＸサイクルの前記値を使用して、オフセット値から計算される。
【００２９】
ステップＳ３３において、ＵＥが接続モードにあるとき、計算された前記拡張ＤＲＸサイクルおよび計算されたオフセットを用いて、ＲＸが実行される。
【００３０】
特定のＤＲＸサイクルの値を、通信ネットワークから受信することができる、または、例えば、長いＤＲＸサイクル（例えば２５６０ｍｓ）の最大長に固定することができる。
【００３１】
本願発明の第１および第２の実施形態にしたがって、ステップＳ３１で受信された拡張ＤＲＸサイクル標示は、拡張ＤＲＸサイクル（「ｌｏｎｇＤＲＸ−サイクル」、「ｅＤＲＸ−ＣｙｃｌｅＬｅｎｇｔｈ）」、後ほど更に詳細に説明する）を示し、特定のＤＲＸサイクルの値の第１の乗算値である。例として、ＤＲＸサイクルは、長いＤＲＸサイクル（例えば２５６０ｍｓ）に対応する。
【００３２】
第１の実施形態にしたがって、ステップＳ３１で受信されるオフセット値は、ＤＲＸスタート・オフセット（「ｄｒｘＳｔａｒｔＯｆｆｓｅｔ」、後ほど更に詳細に説明する）を示し、前記特定のＤＲＸサイクル例えば、長いＤＲＸサイクル、の前記値の第２乗算値である。
【００３３】
本願発明の第２の実施形態にしたがって、ステップＳ３１で受信されるオフセット値は、拡張ＤＲＸサイクル・スタート・オフセット（「ｅＤＲＸ−ＣｙｃｌｅＳｔａｒｔＯｆｆｓｅｔ」、後ほど更に詳細に説明する）を示し、前記特定のＤＲＸサイクル、例えば、長いＤＲＸサイクル、の前記値で除算した前記拡張ＤＲＸサイクルの第２乗算値である。
【００３４】
現在の最大より長いＤＲＸサイクルすなわち、拡張ＤＲＸ、を構成するために、本願発明の第１の実施形態の例にしたがって、新規の値が、現在の最大のｌｏｎｇＤＲＸ−Ｃｙｃｌｅすなわち、２５６０ｍｓの倍数であるように、導入される。さらに、オフセット粒度は、２５６０ｍｓとして定義される。
【００３５】
たとえば、９０ｓまでの、拡張ＤＲＸサイクルを導入するために、ＤＲＸサイクル（拡張ＤＲＸサイクル標示）が、３５（３５×２５６０ｍｓ＝８９６００ｍｓ）として信号伝達され、オフセット値が、０．．３４として信号伝達される。ここで、値０は、オフセットがないことを意味し、１は、２５６０ｍｓのオフセットを意味し、２は、５１２０ｍｓのオフセットを意味する、等々である。
【００３６】
代替的に、ＤＲＸおよびオフセット計算のためのベース（すなわち、特定のＤＲＸサイクルの値）を、上で示唆したように２５６０ｍｓに固定する代わりに、信号伝達することができる。
【００３７】
本願発明の第２の実施形態の例にしたがって、新規の値が、拡張ＤＲＸ長に対して、現在の最大電流、すなわち２５６０ｍｓの倍数であるように、導入される。さらに、オフセット粒度は、サイクル長／２５６０ｍｓとして定義され、オフセットは、サイクル長／２５６０ｍｓの数として定義される。
【００３８】
たとえば、８０ｓまでの、拡張ＤＲＸサイクルを導入するために、ＤＲＸサイクル（拡張ＤＲＸサイクル標示）が、３２（３２×２５６０ｍｓ＝８１９２０ｍｓ）、または、８１９２０サブフレームとして信号伝達され、オフセット値が、８１９２０／２５６０＝３２ｍｓの粒度で、０．．２５５９として信号伝達される。ここで、値０は、オフセットがないことを意味し、１は、３２ｍｓのオフセットを意味し、２は、２×３２ｍｓのオフセットを意味する、等々である。
【００３９】
上記したように、第１のおよび第２の実施形態に対して、ＤＲＸおよびオフセット計算のためのベース（すなわち、特定のＤＲＸサイクルの値）を、２５６０ｍｓに固定する代わりに、信号伝達することができる。
【００４０】
拡張ＤＲＸの提案された導入で、第１のおよび第２の実施形態にしたがって、シグナリング・オーバーヘッドを、柔軟性を危うくすることなく最小にすることができる。拡張ＤＲＸをサポートするＵＥを広げるために、十分なオフセットが提供され、一方、レガシーＵＥは、１ｍｓの粒度から、まだ利益を得ることができる。さらに、レガシーＵＥと拡張ＤＲＸをサポートするＵＥとの間のオーバラップを、最小にすることができる。
【００４１】
例として、下のように定義される６０分までの拡張ＤＲＸサイクル長を取り上げる。
【表３】
0006538868.tif 000004
【００４２】
第１の実施形態に対して、シグナリングは、
【表４】
0006538868.tif 000005
である。
【００４３】
第１の実施形態にしたがって、拡張ＤＲＸに対する、上記のパラメータ「ｅｘｔｅｎｄｅｄＤＲＸ−ＣｙｃｌｅＳｔａｒｔＯｆｆｓｅｔ」は、ｌｏｎｇＤＲＸ−サイクルおよびｄｒｘＳｔａｒｔＯｆｆｓｅｔを含む。ｌｏｎｇＤＲＸ−サイクルの値は、サブフレームのイン・ナンバーである。値ｓｆ５１２０は、５１２０サブフレームに対応し、ｆ１０２４０は、１０２４０サブフレームに対応する、等々である。ｓｈｏｒｔＤＲＸ−サイクルが構成されるならば、ｌｏｎｇＤＲＸ−サイクルは、ｓｈｏｒｔＤＲＸ−サイクル値の倍数でなければならない。第２の実施形態に対して、シグナリングは、
【表５】
0006538868.tif 000006
である。
【００４４】
第２の実施形態にしたがう、拡張ＤＲＸに対する、上記のパラメータ「ｅＤＲＸ−ＣｙｃｌｅＬｅｎｇｔｈ」は、拡張ＤＲＸサイクルである。その値は、サブフレームのイン・ナンバーである。値ｓｆ５１２０は、５１２０サブフレームに対応し、ｆ１０２４０は、１０２４０サブフレームに対応する、等々である。
【００４５】
第２の実施形態にしたがう、拡張ＤＲＸに対する、上記のパラメータ「ｅＤＲＸ−ＣｙｃｌｅＳｔａｒｔＯｆｆｓｅｔ」の値は、ｅＤＲＸ−ＣｙｃｌｅＬｅｎｇｔｈ／２５６０サブフレームである。値０は、０サブフレームに対応し、１は、１＊ｅＤＲＸ−ＣｙｃｌｅＬｅｎｇｔｈ／２５６０サブフレームに対応し、２は、２＊ｅＤＲＸ−ＣｙｃｌｅＬｅｎｇｔｈ／２５６０のサブフレームに対応する、等々である。
【００４６】
どのサブフレームをウェーク・アップさせるべきかを計算するとき、ＳＩＢ１６に基づくＵＥで維持されるタイミングを以下の式を使うことができる。Ｅｘｔｅｎｄｅｄ  ＤＲＸ  Ｃｙｃｌｅが、使用され、タイミング・モジュロ（ｅＤＲＸ−ＣｙｃｌｅＬｅｎｇｔｈ）＝ｅＤＲＸ−ＣｙｃｌｅＳｔａｒｔＯｆｆｓｅｔ＊ｅＤＲＸ−ＣｙｃｌｅＬｅｎｇｔｈ／２５６０Ｆならば、ｏｎＤｕｒａｔｉｏｎＴｉｍｅｒをスタートする。
【００４７】
本願発明の態様にしたがって、図２において示されるコントロール・ユニット１０を含むことができる、および／または、使用することができるユーザ装置（Ｕｓｅｒ  Ｅｑｕｉｐｍｅｎｔ）が提供される。ユーザ装置が通信ネットワークと接続モードであるときに、拡張間欠受信（ＤＲＸ：ｄｉｓｃｏｎｔｉｎｕｏｕｓ  ｒｅｃｅｐｔｉｏｎ）を使用してユーザ装置は、その通信ネットワークにアクセスする、拡張ＤＲＸは、拡張ＤＲＸサイクルおよびオフセットを含み、そのオフセットは、特定のＤＲＸサイクルの値に基づいている。ユーザ装置は、通信ネットワークからシグナリングを受信するための手段であって、そのシグナリングが拡張ＤＲＸサイクル標示およびオフセット値を含む、手段と、拡張ＤＲＸサイクルを拡張ＤＲＸサイクル標示から、オフセット値からのオフセットを、特定のＤＲＸサイクルの前記値を使用して、計算するための手段と、計算された前記拡張ＤＲＸサイクルおよび計算されたオフセットを用いて、ユーザ装置が接続モードであるときに、をＤＲＸを実行するための手段と、を備える。
【００４８】
本願発明の実施形態にしたがって、受信する手段は、シグナリングを通信ネットワークから受信する。そのシグナリングは、特定のＤＲＸサイクルの前記値を含む。
【００４９】
本願発明の別の実施形態にしたがって、その特定のＤＲＸサイクルの前記値は、長いＤＲＸサイクルの最大長である。
【００５０】
本願発明のインプリメント例にしたがって、受信し計算し実行するのための手段が、処理リソース１１、メモリ・リソース１２、および、コントロール・ユニット１０のおよびインタフェース１３によってインプリメントされる。
【００５１】
本願発明の別の態様にしたがって、図２に示されるコントロール・ユニット２０を含むことができる、および／または、使用することができる通信ネットワークの装置が、提供される。この装置は、通信ネットワークにアクセスするユーザ装置に拡張ＤＲＸサイクル標示およびオフセット値を信号伝達するための手段を備え、ユーザ装置が通信ネットワークと接続モードであるときに、そのユーザ装置は、拡張間欠受信（ＤＲＸ：ｄｉｓｃｏｎｔｉｎｕｏｕｓ  ｒｅｃｅｐｔｉｏｎ）を使用しており、ここで、拡張ＤＲＸは、拡張ＤＲＸサイクルおよびオフセットを含み、そのオフセットは、特定のＤＲＸサイクルの値に基づいている。
【００５２】
本願発明の実施形態にしたがって、信号伝達する手段は、特定のＤＲＸサイクルの値をユーザ装置に信号伝達する。
【００５３】
本願発明のインプリメント例にしたがって、信号伝達する手段は、処理リソース２１、メモリ・リソース２２、および、コントロール・ユニット２０のインタフェース２３によってインプリメントされる。
【００５４】
上述の態様において、本願発明の実施形態にしたがって、拡張ＤＲＸサイクル標示は、拡張ＤＲＸサイクルを示し、および特定のＤＲＸサイクルの値の第１の乗算値である。
【００５５】
上述の態様において、本願発明の実施形態にしたがって、そのオフセット値は、ＤＲＸ開始オフセットを示し、特定のＤＲＸサイクルの前記値の第２乗算値である。
【００５６】
上述の態様において、本願発明の別の実施形態にしたがって、前記オフセット値は、拡張ＤＲＸサイクル開始オフセットを示し、前記特定のＤＲＸサイクルの前記値で除算した前記拡張ＤＲＸサイクル長の第２乗算値である。
【００５７】
上述の説明は、本願発明の例示的に示すものであり、本願発明の制限するものとして解釈されるべきではないことが理解されるべきである。種々の修正および応用を、添付の特許請求の範囲の請求項により定義される本願発明の真の趣旨および範囲から離れることなく、当業者は考え付くことができる。
【図１】
0006538868.tif 000007
【図２】
0006538868.tif 000008
【図３】
0006538868.tif 000009